(57)【特許請求の範囲】
【請求項１】
相手基板と平行配置された対応基板に取付けられ、上記両基板間を電気接続するために上記相手基板に取付けられた相手コネクタが接続される防塵浮動コネクタであって、
上記対応基板に対して平行方向に上記相手コネクタが嵌入される開口を天井部、一対の側壁部および底板部によって区画すると共に、該開口内に上記相手コネクタの相手コネクタコンタクトと接し得る対応コネクタコンタクトの接触部を臨ませて成る浮動ハウジングと、
上記底板部と上記対応基板の間に設けられ、且つ上記対応コネクタコンタクトの基板部を固定すると共に該基板部から延びる端子部を介して上記対応基板に取付けられる固定ハウジングとを有し、
また、上記対応コネクタコンタクトは上記接触部と上記基板部との間に設けられた可撓部を備え、その可撓部は、上記浮動ハウジングを上記固定ハウジングとの間に間隔を隔てて該固定ハウジングに対して浮動支持し、
さらに、上記対応コネクタコンタクトの可撓部が、上記相手コネクタが嵌入される側と反対側の面である後面に位置し、その後面を、上記浮動ハウジングと上記固定ハウジングとの間の隙間を防塵し、且つ当該可撓部を保護するカバーで覆ったことを特徴とする防塵浮動コネクタ。
【請求項２】
一方の相手基板に相手コネクタを、他方の対応基板に防塵浮動コネクタをなす対応コネクタを各々取付け、該相手コネクタと対応コネクタの接続によって平行配置された上記両基板間を電気接続する防塵浮動コネクタ構造であって、
上記相手コネクタは、上記相手基板に対して平行方向に突出した凸部を有し、且つそこに相手コネクタコンタクトを配してなり、
上記対応コネクタは、上記対応基板に対して平行方向に上記相手コネクタが嵌入される開口を天井部、一対の側壁部および底板部によって区画すると共に、該開口内に上記相手コネクタの相手コネクタコンタクトと接し得る対応コネクタコンタクトの接触部を臨ませて成る浮動ハウジングと、上記底板部と上記対応基板の間に設けられ、且つ上記対応コネクタコンタクトの基板部を固定すると共に該基板部から延びる端子部を介して上記対応基板に取付けられる固定ハウジングとを有し、
また、上記対応コネクタコンタクトは上記接触部と上記基板部との間に設けられた可撓部を備え、その可撓部は、上記浮動ハウジングを上記固定ハウジングとの間に間隔を隔てて該固定ハウジングに対して浮動支持し、
さらに、上記対応コネクタコンタクトの可撓部が、上記対応コネクタにおける上記相手コネクタが嵌入される側と反対側の面である対応コネクタ後面に位置し、その対応コネクタ後面を、上記浮動ハウジングと上記固定ハウジングとの間の隙間を防塵し、且つ当該可撓部を保護するカバーで覆ったことを特徴とする防塵浮動コネクタ構造。
【請求項３】
上記浮動ハウジングの底板部の端部から上記対応基板方向に垂下して成るスカート部を設けて該浮動ハウジングの前面並びに両側面を上記スカート部で囲い、且つ上記カバーの下端に上記対応基板方向に延びる延設部を形成し、以って上記スカート部と延設部によって上記固定ハウジングの周囲を覆うようにしたことを特徴とする請求項２に記載の防塵浮動コネクタ構造。
【請求項４】
上記浮動ハウジングの側壁部に係止部が形成され、上記カバーに設けた被係止部を上記係止部に係合させて、上記浮動ハウジングに上記カバーを固着するようにしたことを特徴とする請求項２または３に記載の防塵浮動コネクタ構造。
【請求項５】
上記固定ハウジングは移動規制部を備え、該移動規制部に上記スカート部の内壁並びに上記カバーの延設部の内壁が接することにより、上記浮動ハウジングの移動量を制限するようにしたことを特徴とする請求項３に記載の防塵浮動コネクタ構造。
【請求項６】
電動工具本体に着脱自在に工具駆動用のバッテリーパックを備えた電動工具であって、電動工具本体とバッテリーパックとのいずれか一方の相手基板に相手コネクタを、他方の対応基板に防塵浮動コネクタをなす対応コネクタを取付け、該相手コネクタと対応コネクタとの接続によって平行配置された上記両基板間を電気接続する電動工具において、
上記相手コネクタは、上記相手基板に対して平行方向に突出した凸部を有し、且つそこに相手コネクタコンタクトを配してなり、
上記対応コネクタは、上記対応基板に対して平行方向に上記相手コネクタが嵌入される開口を天井部、一対の側壁部および底板部によって区画すると共に、該開口内に上記相手コネクタの相手コネクタコンタクトと接し得る対応コネクタコンタクトの接触部を臨ませて成る浮動ハウジングと、上記底板部と上記対応基板の間に設けられ、且つ上記対応コネクタコンタクトの基板部を固定すると共に該基板部から延びる端子部を介して上記対応基板に取付けられる固定ハウジングとを有し、
また、上記対応コネクタコンタクトは上記接触部と上記基板部との間に設けられた可撓部を備え、その可撓部は、上記浮動ハウジングを上記固定ハウジングとの間に間隔を隔てて該固定ハウジングに対して浮動支持し、
さらに、上記対応コネクタコンタクトの可撓部が、上記対応コネクタにおける上記相手コネクタが嵌入される側と反対側の面である対応コネクタ後面に位置し、その対応コネクタ後面を、上記浮動ハウジングと上記固定ハウジングとの間の隙間を防塵し、且つ当該可撓部を保護するカバーで覆ったことを特徴とする防塵浮動コネクタ付き電動工具。
【発明の詳細な説明】
【技術分野】
【０００１】
この発明は、防塵浮動コネクタ、防塵浮動コネクタ構造および防塵浮動コネクタ付き電動工具に関するものである。
【背景技術】
【０００２】
例えば、電動工具の一例としては、特許文献１の図１並びに段落［００２３］、［００２４］に明示される如く、「コードレス電動ドライバーは、胴部である略円筒状の外形の本体と、本体の一端部に装着されたチャック部と、本体の他端部に一体に形成された把持部とを備えている。本体の内部には、ブラシレス直流モータ（以下、単にモータという）と速度変換機構とが内蔵されている。把持部は作業者が手で把持できるように形成され、把持状態で指が位置する箇所に引き金状のトリガースイッチ及び回転方向指令スイッチが配置されている。トリガースイッチの投入により、モータを所定の回転速度に回転制御する各種回路素子が実装された制御回路の配線基板が、モータの下方に内蔵されている。また、把持部にはバッテリーが内蔵されている。」ものがある。なお、この公知例はドライバーに関するものであるが、この他にドリルなど、種々のコードレス電動工具も略同様の構造となっている。
【０００３】
そして、多くのコードレス電動工具にあっては、例えば特許文献２に示されている如く、「バッテリーパックの装着部に、電動工具本体への機械的結合のためのＬ字型係合部を装着部の左右両サイドに少なくとも一対設ける。電動工具本体の被装着部にＬ字型係合部と個別に対応する複数個の被係合部を設ける。Ｌ字型係合部を、バッテリーパックの装着部と電動工具本体の被装着部とを互いに押し当てる方向のみに被係合部を挿入可能とする挿入規制部と、挿入規制部と直交方向に開口した装着保持部と、挿入規制部から装着保持部へと移動した被係合部に係合するフック係合部とを有する。」（特許文献２の［要約］における［解決手段］の記載）と言った構成の下、「電動工具本体の被装着部に対してバッテリーパックの装着部を押し当てた後で、電動工具本体又はバッテリーパックのいずれか一方を押し当て方向と直交する方向にずらすだけで、バッテリーパックの装着ができる。」（特許文献２の段落［０００７］の記述）ようになっている。
【０００４】
加えて、「また前記外ケースの装着部には、充放電用の電気的接合がなされる雄端子が挿入される３個の凹部が設けられている。３個の凹部の奥には、内ケースに固定したプリント基板に装着される３個の雌端子が配置されている。３個の雌端子は、正負の充放電用端子、サーモスイッチに接続される温度端子を構成しており、３個の凹部からそれぞれ挿入される３個の雄端子（正負の電源端子、温度信号検知用端子）が上記端子に各々接続可能とされている。内ケースに装着してあるプリント基板のコネクタは、セルの出力を伝える板金からリード線にて接続される電圧信号や、サーミスタから伝えられる温度信号等を出力したり、通信用端子として充電器との間で通信回路を形成したりする働きをする。」（特許文献２の［００２２］の記述）ようになっており、前記電動工具本体とバッテリーパックの間には充放電用電気的接続（端子）と過放電や過熱防止のための制御用電気的接続（コネクタ）とが備えられている。
【０００５】
上記充放電用端子（ソケット）の一例は、特許文献２の図２に明示されている通り、チューリップ型で、電動工具本体側の雄端子は棒状を呈しており、同工具本体にバッテリーパックを装着することによってこの両端子の接続も完了し、しかもこの接続は強固に行い得る。何となれば、両端子共、大きく、その剛性、弾性も強くすることができ、例え該電動工具が稼動中に激しく振動し、それがバッテリーパックに伝播するようなことがあっても、これに旨く追従して両者の電気的接続が損なわれるようなことはない。
【０００６】
しかしながら、制御用の前記コネクタの如き一方の基板と他方の基板を電気接続するコネクタのセット（ソケット〈相手コネクタ〉とプラグ〈対応コネクタ〉のセット）にあっては、そのコンタクトは小さく、斯様な剛性や弾性を付与する事はできないので、上記振動対策としてプラグ若しくはソケットのいずれか一方に浮動機構を備えたものの採用が望まれる処、只単に公知の浮動機構をプラグ又はソケットに組み込めば良いと言う訳には行かない。
【０００７】
何となれば、この浮動機構を備えたコネクタ（ソケット）としては、例えば、特許文献３が公知であり、その特許文献３の［要約］の［構成］には、「可動型コネクタは基板に取付け固定される略枠状の第１ハウジング及びこの第１ハウジングの開口内に隙間をもって挿入される第２ハウジングとを有する。第２ハウジングのコンタクト受容空洞と第１ハウジング間に多数のコンタクトを挿入保持する。このコンタクトは接触部、半田接続部及び歪吸収部を有する略平板状である。歪吸収部は好ましくは垂直及び水平方向に略Ｕ字状に複数の屈曲部を有する。」とある。
【０００８】
即ち、第１ハウジングと第２ハウジングとは歪吸収部を備えたコンタクトで連結されており、第２ハウジングは第１ハウジングに対して浮動構造となっている。
【０００９】
【特許文献１】特開２００４−９２８４号公報
【特許文献２】特開２００６−３２６７６５号公報
【特許文献３】特開平４−３７０６７７号公報
【発明の開示】
【発明が解決しようとする課題】
【００１０】
この様な浮動構造をコネクタセットに採用すれば、前記工具本体とバッテリーパックとが振動しても、上記歪吸収部がこれを旨く吸収し、両者の電気的接続を安定的に保持することができる。
【００１１】
しかしながら、電動ドライバーや電動ドリルと言ったコードレス電動工具の場合、そのドライバーなりドリルが稼動する結果、周辺に木屑、金属屑、コンクリート屑等など、或いはその他の塵埃が飛散し、それらが前記電動工具本体とバッテリーパックの合わせ面の隙間から内部に浸入し、前記ソケット・プラグにまで達し、終には同ソケットとプラグの間に、或いは前記第１ハウジングと第２ハウジングの間にまで入り込む惧れがある。
【００１２】
さらには、充電のため、バッテリーパックが工具本体から外された状態では、プラグ・ソケットの嵌合面が開放され、そこから同様に塵埃が入り込む惧れもある。
【００１３】
塵埃がソケット・プラグの間に入り込んだ場合、前記電動工具本体とバッテリーパックの間の通信回路が遮断され、前記モーターが回転せず、ドライバーやドリルが稼動できない。
【００１４】
さらに、同塵埃がソケットの上記第１ハウジングと第２ハウジングの間に入り込んだような場合には、その前記浮動機能が阻害されることになり、この状態でドライバーやドリルが稼動して前述の激しい振動を長時間に亘って受けると、最悪、ソケット又はプラグが破壊されるに至る。
【００１５】
本発明は斯様な点に鑑みなされたもので、防塵機能と浮動機能を兼ね備えた防塵浮動コネクタと防塵浮動コネクタ構造と防塵浮動コネクタを用いた電動工具を提供せんとするものである。
【課題を解決するための手段】
【００１６】
上記目的を達成するために本発明は、相手基板と平行配置された対応基板に取付けられ、上記両基板間を電気接続するために上記相手基板に取付けられた相手コネクタが接続される防塵浮動コネクタであって、上記対応基板に対して平行方向に上記相手コネクタが嵌入される開口を天井部、一対の側壁部および底板部によって区画すると共に、該開口内に上記相手コネクタの相手コネクタコンタクトと接し得る対応コネクタコンタクトの接触部を臨ませて成る浮動ハウジングと、上記底板部と上記対応基板の間に設けられ、且つ上記対応コネクタコンタクトの基板部を固定すると共に該基板部から延びる端子部を介して上記対応基板に取付けられる固定ハウジングとを有し、また、上記対応コネクタコンタクトは上記接触部と上記基板部との間に設けられた可撓部を備え、その可撓部は、上記浮動ハウジングを上記固定ハウジングとの間に間隔を隔てて該固定ハウジングに対して浮動支持し、さらに、上記対応コネクタコンタクトの可撓部が、上記相手コネクタが嵌入される側と反対側の面である後面に位置し、その後面を、上記浮動ハウジングと上記固定ハウジングとの間の隙間を防塵し、且つ当該可撓部を保護するカバーで覆ったものである。
【００１７】
上記目的を達成するために本発明は、一方の相手基板に相手コネクタを、他方の対応基板に防塵浮動コネクタをなす対応コネクタを各々取付け、該相手コネクタと対応コネクタの接続によって平行配置された上記両基板間を電気接続する防塵浮動コネクタ構造であって、上記相手コネクタは、上記相手基板に対して平行方向に突出した凸部を有し、且つそこに相手コネクタコンタクトを配してなり、上記対応コネクタは、上記対応基板に対して平行方向に上記相手コネクタが嵌入される開口を天井部、一対の側壁部および底板部によって区画すると共に、該開口内に上記相手コネクタの相手コネクタコンタクトと接し得る対応コネクタコンタクトの接触部を臨ませて成る浮動ハウジングと、上記底板部と上記対応基板の間に設けられ、且つ上記対応コネクタコンタクトの基板部を固定すると共に該基板部から延びる端子部を介して上記対応基板に取付けられる固定ハウジングとを有し、また、上記対応コネクタコンタクトは上記接触部と上記基板部との間に設けられた可撓部を備え、その可撓部は、上記浮動ハウジングを上記固定ハウジングとの間に間隔を隔てて該固定ハウジングに対して浮動支持し、さらに、上記対応コネクタコンタクトの可撓部が、上記対応コネクタにおける上記相手コネクタが嵌入される側と反対側の面である対応コネクタ後面に位置し、その対応コネクタ後面を、上記浮動ハウジングと上記固定ハウジングとの間の隙間を防塵し、且つ当該可撓部を保護するカバーで覆ったものである。
【００１８】
好ましくは、上記浮動ハウジングの底板部の端部から上記対応基板方向に垂下して成るスカート部を設けて該浮動ハウジングの前面並びに両側面を上記スカート部で囲い、且つ上記カバーの下端に上記対応基板方向に延びる延設部を形成し、以って上記スカート部と延設部によって上記固定ハウジングの周囲を覆うようにしたものである。
【００１９】
好ましくは、上記浮動ハウジングの側壁部に係止部が形成され、上記カバーに設けた被係止部を上記係止部に係合させて、上記浮動ハウジングに上記カバーを固着するようにしたものである。
【００２０】
好ましくは、上記固定ハウジングは移動規制部を備え、該移動規制部に上記スカート部の内壁並びに上記カバーの延設部の内壁が接することにより、上記浮動ハウジングの移動量を制限するようにしたものである。
【００２１】
上記目的を達成するために本発明は、電動工具本体に着脱自在に工具駆動用のバッテリーパックを備えた電動工具であって、電動工具本体とバッテリーパックとのいずれか一方の相手基板に相手コネクタを、他方の対応基板に防塵浮動コネクタをなす対応コネクタを取付け、該相手コネクタと対応コネクタとの接続によって平行配置された上記両基板間を電気接続する電動工具において、上記相手コネクタは、上記相手基板に対して平行方向に突出した凸部を有し、且つそこに相手コネクタコンタクトを配してなり、上記対応コネクタは、上記対応基板に対して平行方向に上記相手コネクタが嵌入される開口を天井部、一対の側壁部および底板部によって区画すると共に、該開口内に上記相手コネクタの相手コネクタコンタクトと接し得る対応コネクタコンタクトの接触部を臨ませて成る浮動ハウジングと、上記底板部と上記対応基板の間に設けられ、且つ上記対応コネクタコンタクトの基板部を固定すると共に該基板部から延びる端子部を介して上記対応基板に取付けられる固定ハウジングとを有し、また、上記対応コネクタコンタクトは上記接触部と上記基板部との間に設けられた可撓部を備え、その可撓部は、上記浮動ハウジングを上記固定ハウジングとの間に間隔を隔てて該固定ハウジングに対して浮動支持し、さらに、上記対応コネクタコンタクトの可撓部が、上記対応コネクタにおける上記相手コネクタが嵌入される側と反対側の面である対応コネクタ後面に位置し、その対応コネクタ後面を、上記浮動ハウジングと上記固定ハウジングとの間の隙間を防塵し、且つ当該可撓部を保護するカバーで覆ったものである。
【発明の効果】
【００２２】
本発明によれば、防塵機能と浮動機能を兼ね備えるという優れた効果を発揮するものである。
【発明を実施するための最良の形態】
【００２３】
以下、本発明の好適な一実施形態を添付図面に基づいて詳述する。
【００２４】
図１及び図２（Ａ）〜（Ｃ）に本実施形態の防塵浮動コネクタおよび防塵浮動コネクタ構造を本実施形態の電動工具に用いた場合の形態を示す。
【００２５】
図１では、工具本体Ｔに工具駆動用のバッテリーパックＢが嵌合状態にある。図２（Ａ）〜（Ｃ）に示すように、工具本体Ｔ内に、工具モータ（図示せず）の回転を制御する回路基板ＢＴ（対応基板、図６参照）、及びバッテリーパックＢ内に電池の電圧状態を監視する基板ＢＢ（相手基板、図６参照）を配置してある。
【００２６】
本実施形態の防塵浮動コネクタをなすプラグＰ（対応コネクタ）は工具本体Ｔの基板ＢＴに取り付けられ、ソケットＳ（相手コネクタ）は脱着式のバッテリーパックＢの基板ＢＢに取り付けられる（固定される）。バッテリーパックＢ、工具本体Ｔの合わせ面には、各々係止フックｆ、Ｆが設けられ、これら係止フックｆ、Ｆにより、バッテリーパックＢが工具本体Ｔが着脱される。この着脱の動作により、上記ソケットＳとプラグＰも嵌合と抜去とが行われる。ソケットＳとプラグＰとの両者が嵌合することによって工具本体ＴとバッテリーパックＢの電気的接続が達成される。
【００２７】
図３は相手コネクタであるソケットＳを、図４は該ソケットＳに嵌合する対応コネクタであるプラグＰを、各々示している。なお、図４には、プラグＰに組み付けられる防塵用のカバー３０が、組み付けを解かれた状態で示されている。
【００２８】
より詳細に説明するに、図３に示すように、上記ソケットＳは、合成樹脂製であって断面コ字状のボディー１１、該ボディー１１に植設され且つプラグＰのプラグコンタクト９０（対応コネクタコンタクト、図４参照）に接触し得る複数のソケットコンタクト１２（相手コネクタコンタクト）を備える。そしてこのボディー１１は、基部１３、凹部１４、凸部１５を有していて、上記ソケットコンタクト１２は基部１３の裏面１６にその端部１７を突出させており、該端部１７を前記バッテリーパックＢ内の基板ＢＢの導体（図示せず）にはんだ付けし、実装される。
【００２９】
凹部１４は、後述のプラグＰの浮動ハウジング５０の天井部５１を受け入れる部位であり、凸部１５はそこに保持された上記ソケットコンタクト１２と共に、プラグＰのソケット嵌合開口５２（図４参照）に進入してソケットＳのソケットコンタクト１２とプラグＰのプラグコンタクト９０を接続させる部位である。
【００３０】
また、プラグＰは、図４〜図６に示すように、合成樹脂製の浮動ハウジング５０、同樹脂製の固定ハウジング７０、この両者の間に介在するプラグコンタクト９０を備えている（固定ハウジング７０は、図４に表れぬので図５、図６参照）。なお、図５では、後述するカバー３０の断面が、浮動ハウジング５０の断面に対してＹ方向にずらした位置で切断して示される。
【００３１】
浮動ハウジング５０は、ソケットＳが嵌入される開口５２（嵌合開口またはソケット嵌合開口）を区画する矩形の枠の如き構造で、天井部５１、一対の側壁部５３、天井部５１に対向する底板部５４、更に上記嵌合開口５２を細分化するリブ５７（図５参照）などを有し、これらで囲まれた小さな空間をソケット挿入室５６とし、その各々にプラグコンタクト９０の接触部９１を位置付けしている。
【００３２】
さらに、底板部５４は側方（側壁部５３方向）及び前方（ソケットＳとの対向面側）が水平方向に、若干、延設されており、さらに延設された部分から取り付け基板（対応基板）ＢＴ方向に垂下してなる袴状のスカート部６０が形成されている。
【００３３】
また、この底板部５４の図５における下、即ちスカート部６０の中に配設される上記固定ハウジング７０は略直方体状の合成樹脂部材で、プラグＰ即ち該固定ハウジング７０を前記電動工具本体Ｔの基板ＢＴに仮固定するための脚部７１、上記プラグコンタクト９０の基板部９２（図５参照）が圧入される溝部７２（同図５参照）を持ち、さらに上記スカート部６０に内接し得る矩形状の移動規制部７３（図７参照）が固定ハウジング７０の両側端に設けてある。従ってスカート部６０内に該固定ハウジング７０の移動規制部７３を遊嵌すると共に、前記底板部５４との間にも的確なクリアランスを用意することにより、浮動ハウジング５０のＸ、Ｙ方向（図５参照）への移動は、スカート部６０の内壁に移動規制部７３が当接することで制限される。
【００３４】
なお詳細には、浮動ハウジング５０のＸ方向前方（ソケットＳの対向面側）への移動は上記スカート部６０で、Ｘ方向後方への移動は後述のカバー３０で、夫々規制される。同様に、上記クリアランスがＺ方向の相対的移動を許容する。
【００３５】
両ハウジング５０、７０を繋ぐ前記プラグコンタクト９０は、図５から明らかなように、上記接触部９１、基板部９２に加え、該基板部９２から延設されて電動工具本体Ｔの基板ＢＴの導体にはんだ付け接続される端子部９３、基板部９２から立ち上がって接触部９１に連なる針金状の可撓部９４、前記天井部５１と底板部５４の間に上記接触部９１を固定するための固定部９５などからなり、基板部９２並びに接触部９１を、夫々、嵌合開口５２の後面側（背面側）から、すなわち図５中左方から右方に向けて固定ハウジング７０の溝部７２、浮動ハウジング５０のソケット挿入室５６に押し込み、そこに圧入・固定し、その間に可撓部９４を用意して両ハウジング５０、７０を相対的に移動可能に連結している。
【００３６】
カバー３０は、図４に示す如く、合成樹脂製の平板部３１の両端から垂直に被係止部３２を各々延設したような形状で、そのカバー３０の高さＨはプラグＰの高さｈに、また、カバー３０の幅ＷはプラグＰの幅ｗに、各々対応しており、平板部３１はプラグＰの後面（ソケットが進入して来る面を前面とする）をピッタリ覆い、上記可撓部９４を保護しつつ、その内部に塵埃が入り込まないようにしている。
【００３７】
つまり、上記被係止部３２には先端にフック３３があって、このフック３３をプラグＰの後面から押し進めて行くと、浮動ハウジング５０の側壁部５３に形成したスロープ５８を係止部３２が弾性変形しつつ乗り越えてその先の係止穴（係止部）５９に引っ掛かり、上記後面を塞いで係止されるようになっている。
【００３８】
このようなカバー３０を備えた浮動機能付きプラグＰに対し、前述の如きソケットＳが接続されると、プラグＰの前面はソケットＳで塞がれ、また後面はカバー３０で覆われているため、その内部への塵埃の浸入を抑えることができる。
【００３９】
即ち、図６から明らかなように、プラグＰは、図６中上方に位置する電動工具本体Ｔの基板ＢＴに実装され、またソケットＳは同下方に位置するバッテリーパックＢの基板ＢＢに実装されていて、該ソケットＳは同右方から左方に進入し、プラグＰのソケット嵌合開口５２に嵌り込み、両コンタクト１２、９０が接し、上記両基板ＢＴ、ＢＢ間の電気的接続が達成される（ソケットコンタクト１２は例えばフォーク状或いはチューリップ状となっていて、例えば平板状のプラグコンタクト９０を挟持することができるようになっている）。
【００４０】
このとき、プラグＰの図中左側、即ち後面は前記カバー３０で覆われ、また同前面のソケット嵌合開口５２はソケットＳの凸部１５によって塞がれるので、その内部への塵埃の浸入を防止することができる。より詳細に見るに、浮動ハウジング５０の底板部５４と上記ソケットの凸部１５との間に、少なからず、隙間Ｃが存在するが、該隙間Ｃは大きくなく、且つソケットコンタクト１２がプラグコンタクト９０を強く挟持し、ソケットＳと浮動ハウジング５０が一体となって、固定ハウジング７０に対して浮動、つまり相対移動を許容されているから、例えこの隙間Ｃに塵埃が浸入したとしても、何の悪影響も発生しない。また、プラグコンタクト９０の可撓部９４が位置付けされるプラグＰの後面は、その全面をカバー３０で覆われているので、塵埃が入り込む余地はない。
【００４１】
さらに、浮動ハウジング５０には、その前面及び両側面に底板部５４から基板ＢＴに向かって垂下するスカート部６０が設けてあり、加えて前記カバー３０の下部（図５参照）には延設部３４が用意してあるので、図６又は図７から明らかなように、固定ハウジング７０とそこに圧入されるプラグコンタクト９０の基板部９２並びに可撓部９４の立ちあがり部は、該スカート部６０、延設部３４によって周囲を覆われ、ここへの塵埃の浸入も防止されている。
【００４２】
従ってこのような本発明によれば、電動工具本体Ｔの基板ＢＴに取り付けられるプラグＰに浮動機構を付与したので、バッテリーパックＢの基板ＢＢに取り付けられるソケットＳとの間に、該工具の稼動に基づく振動が伝達されて来て相対移動が生じても、これにプラグコンタクト９０の可撓部９４が追従し、ソケットコンタクト１２と該プラグコンタクト９０の確かな接続が維持され、そこに微振動磨耗などが発生して両者の導通を阻害するようなことを防止できる。
【００４３】
そして、上記プラグＰの浮動ハウジング５０の後面をカバー３０によって塞ぎ、或いは浮動ハウジング５０にスカート部６０を設けると共にカバー３０に延設部３４を形成したので、浮動ハウジング５０と固定ハウジング７０の間及びプラグコンタクト９０の可撓部９４の周辺に塵埃が侵入し、両ハウジング５０、７０の相対移動を阻害するようなことを防止することができる。
【００４４】
加えて、充電のために工具本体ＴからバッテリーパックＢを外したような場合には、前記嵌合開口５２が開放され、そこに露出したコンタクト９０の接触部９１に塵埃が付着することが案じられるも、例えここに塵埃が付着したとしても、再びバッテリーパックＢを工具本体Ｔに装着する際、前述のフォーク状或いはチューリップ状としたソケットコンタクト１２によって該接触部９１に付着した塵埃は掻き落とされ、両者の接続の支障となることはない。勿論、上記嵌合開口５２の後面側（背面側）をカバー３０で塞いだので、同後面側から侵入する塵埃が同接触部９１に付着することは皆無で、結果として上記危惧を半減でき、さらに可撓部９４の周辺へ塵埃が侵入して両ハウジング５０、７０の相対移動を阻害するようなことも防止できる。
【００４５】
なお、前述のように、プラグコンタクト９０は嵌合開口５２の後面側から、すなわち図５中左方から右方に向けて固定ハウジング７０及び浮動ハウジング５０に押し込まれ、そこに圧入・固定され、且つそこをカバー３０で塞がれているので、該カバー３０はプラグコンタクト９０の抜け止め機能も発揮する。すなわち、嵌合に際してソケットＳは図５中右方から左方に向かって嵌合開口５２に進入して来るので、プラグコンタクト９０の上記圧入方向と逆となり、プラグコンタクト９０をソケット挿入室５６から押し返し、脱落させんとするが、このプラグコンタクト９０の後面側にはカバー３０が配してあるので、これがストッパーとなってこれを防ぐことができる。殊に、充電のために工具本体ＴからバッテリーパックＢを外したような状態で放置され、前記嵌合開口５２や凸部１５に塵埃が付着し、そのまま再嵌合がなされたような場合には、両コンタクト１２、９０の間に不測の嵌合抵抗を発生させ、プラグコンタクト９０を後退させて上記脱落を招き兼ねないところ、これをカバー３０に当接させ、脱落を防止することができる。
【００４６】
電動工具本体Ｔ側にプラグＰ、バッテリーパックＢ側にソケットＳを取り付ける例について説明したが、逆でも良い。
【００４７】
また、プラグＰが浮動機能を有する例について説明したが、これをソケットＳ側に用意しても良い。
【図面の簡単な説明】
【００４８】
【図１】図１は、本実施形態の電動工具の側面図であり、電動工具本体にバッテリバックが取り付けられた状態を示す。
【図２】図２（Ａ）は、本実施形態に係る電動工具本体の下方からの斜視図であり、図２（Ｂ）は、図２（Ａ）と同様に電動工具本体の下方からの斜視図であり、図２（Ｃ）は、バッテリーパックの上方からの斜視図である。
【図３】図３は、本発明に係る一実施形態によるソケット（相手コネクタ）の斜視図である。
【図４】図４は、本実施形態のプラグ（対応コネクタ）の斜視図である。
【図５】図５は、本実施形態のプラグの断面斜視図である。
【図６】図６は、本実施形態のソケットとプラグとの断面図であり、嵌合した状態を示す。
【図７】図７は、本実施形態のプラグの斜視図であり、後面側を示す。
【符号の説明】
【００４９】
１２  相手コネクタコンタクト
３０  カバー
５０  浮動ハウジング
５１  天井部
５２  開口
５３  側壁部
５４  底板部
７０  固定ハウジング
９０  対応コネクタコンタクト
９１  接触部
９２  基板部
９３  端子部
９４  可撓部
ＢＢ  相手基板
ＢＴ  対応基板
Ｐ  プラグ（対応コネクタ、防塵浮動コネクタ）
Ｓ  ソケット（相手コネクタ）
【図１】
0005009755.tif 000002
【図２】
0005009755.tif 000003
【図３】
0005009755.tif 000004
【図４】
0005009755.tif 000005
【図５】
0005009755.tif 000006
【図６】
0005009755.tif 000007
【図７】
0005009755.tif 000008